(57)【要約】【課題】鉛直下向きに設置して真下に照明することができる沸騰冷却式ＬＥＤ照明装置を提供すること。【解決手段】ＬＥＤを光源とする光源ユニット３と、該光源ユニット３から受熱する受熱面１１ａを有する受熱部１１、該受熱部１１で受熱した熱を外気に放熱する放熱部１２及び該放熱部１２と前記受熱部１１間において冷媒を循環させる循環経路１３を備えた沸騰冷却器４と、該沸騰冷却器４と前記光源ユニット３を収容するハウジング２と、を含んで構成される沸騰冷却式ＬＥＤ照明装置１において、前記沸騰冷却器４の放熱部１２を前記受熱部１１の受熱面１１ａを挟んで前記光源ユニット３とは逆側に配置するとともに、該放熱部１２の受熱面１１ａに対向して前記循環経路の一部を構成する対向面１２ｂを水平面に対して傾斜させる。【選択図】図４
2012174379.tif 000002
【特許請求の範囲】
【請求項１】
ＬＥＤを光源とする光源ユニットと、
該光源ユニットから受熱する受熱面を有する受熱部、該受熱部で受熱した熱を外気に放熱する放熱部及び該放熱部と前記受熱部間において冷媒を循環させる循環経路を備えた沸騰冷却器と、
該沸騰冷却器と前記光源ユニットを収容するハウジングと、
を含んで構成される沸騰冷却式ＬＥＤ照明装置において、
前記沸騰冷却器の放熱部を前記受熱部の受熱面を挟んで前記光源ユニットとは逆側に配置するとともに、該放熱部の受熱面に対向して前記循環経路の一部を構成する対向面を水平面に対して傾斜させたことを特徴とする沸騰冷却式ＬＥＤ照明装置。
【請求項２】
前記沸騰冷却器の循環経路を、前記放熱部の中央と両側にそれぞれ垂直に形成された第１及び第２経路と、前記放熱部の複数の放熱フィンの間に形成されて前記第１経路と前記第２通路とを連通させる第３経路と、前記放熱部の対向面と受熱面との間に形成されて前記第１経路と前記第２経路とを連通させる第４経路とで構成するとともに、前記放熱部の対向面を前記受熱面との距離が前記第２経路から前記第１経路に向かって大きくなるよう傾斜させたことを特徴とする請求項１記載の沸騰冷却式ＬＥＤ照明装置。
【請求項３】
前記沸騰冷却器の循環経路を、前記放熱部の中央と両側にそれぞれ垂直に形成された第１及び第２経路と、前記放熱部の複数の放熱フィンの間に形成されて前記第１経路と前記第２通路とを連通させる第３経路と、前記放熱部の対向面と受熱面との間に形成されて前記第１経路と前記第２経路とを連通させる第４経路とで構成するとともに、前記放熱部の対向面を前記受熱面との距離が前記第１経路から前記第２経路に向かって大きくなるよう傾斜させたことを特徴とする請求項１記載の沸騰冷却式ＬＥＤ照明装置。
【請求項４】
前記沸騰冷却器の循環経路を、前記放熱部の両側にそれぞれ垂直に形成された第１経路と、前記放熱部の複数の放熱フィンの間に形成されて前記第１経路同士を連通させる第２経路と、前記放熱部の対向面と受熱面との間に形成されて前記第１経路同士を連通させる第３経路とで構成するとともに、前記放熱部の対向面を前記受熱面との距離が一方の第１経路から他方の第１経路に向かって大きくなるよう傾斜させたことを特徴とする請求項１記載の沸騰冷却式ＬＥＤ照明装置。
【請求項５】
前記ハウジング内にＬＥＤ駆動用回路を前記沸騰冷却器の前記光源ユニットとは逆側に配置したことを特徴とする請求項１〜４の何れかに記載の沸騰冷却式ＬＥＤ照明装置。
【発明の詳細な説明】
【技術分野】
【０００１】
本発明は、冷媒の相変化によって高い冷却能力を発揮する沸騰冷却方式を採用する沸騰冷却式ＬＥＤ照明装置に関するものである。
【背景技術】
【０００２】
近年、車両用前照灯や屋外照明灯等の照明装置としては、キセノンランプやナトリウムランプ等の大光量ランプを光源とするものから、長寿命で低消費電力のＬＥＤを光源とするものへの置き換えが進んでおり、ＬＥＤを光源とするＬＥＤ照明装置に対しては更なる高出力化が望まれている。
【０００３】
ところで、現在普及しているキセノンランプは２００Ｗ〜２０００Ｗ程度の出力のものが多く、これに代わるＬＥＤ照明装置への投入電力も増加していく傾向にあり、最近では１つのＬＥＤ照明装置への投入電力が２００Ｗを超えるものも開発されてきている。
【０００４】
斯かるＬＥＤ照明装置の大電力化に伴ってＬＥＤ光源ユニットの発熱量も増加するため、温度によって寿命や出力が変化するＬＥＤ光源においては、温度をより低く安定して駆動するための冷却構造が重要な開発課題となっている。
【０００５】
例えば特許文献１には、水冷式のＬＥＤ照明装置が提案されている。この水冷式ＬＥＤ照明装置は、ＬＥＤ光源の熱を液冷によって冷却する方式を採用するものであって、ＬＥＤ光源と該ＬＥＤ光源からの熱を冷媒液に受熱させる水冷ジャケットによって構成される灯体部と、受熱した冷媒液を外部空気に放熱するラジエータとファンによって構成される放熱部と、冷媒液を循環経路内で循環させるポンプを備えている。
【０００６】
このような水冷式ＬＥＤ照明装置によれば、冷媒液が灯体部から受熱した後に放熱部へと流れ、該放熱部において外気に放熱した後に灯体部に戻る循環動作を繰り返すことによって灯体部が冷却されるため、ＬＥＤ光源の高出力化と高寿命化が可能となるとともに、ラジエータによって効率良く放熱されるために放熱部の小型化と軽量化が可能となる。
【０００７】
ところが、特許文献１において提案された上記水冷式ＬＥＤ照明装置では、水冷ジャケット内を循環する冷媒液の経路によって、特に冷媒液の入口と出口とで大きな温度差を生じる場合があり、複数のＬＥＤを配列して成るＬＥＤ光源全体の温度が不均一となり、ＬＥＤの発光効率と寿命にバラツキが生じるという問題が発生する可能性がある。この場合の温度差は、水冷ジャケットの受熱量と受熱面積が大きいほど大きくなる傾向にある。
【０００８】
又、ポンプによって冷媒液が循環経路を循環するため、何らかの原因でポンプが停止した場合には冷媒液の循環も停止し、水冷ジャケットが断熱状態となって深刻な故障に繋がる可能性がある。
【０００９】
更に、灯体部と放熱部とがブチルゴム等から成るゴムホースによって連結されているため、ゴムホースから冷媒液が蒸発し、その蒸発量を補うためのリザーブタンクを循環経路内に設ける必要がある。このリザーブタンクのサイズは、メンテナンス間隔によっても異なるが、メンテナンス間隔を長くするには大きなサイズのリザーブタンクが必要になり、ＬＥＤ照明装置が大型化及び高重量化するという問題が発生する。
【００１０】
そこで、本出願人は、冷媒の相変化によって高い冷却能力を発揮する沸騰冷却方式を採用した沸騰冷却式ＬＥＤ照明装置を先に提案した（特願２００９−２６５８７６において）。
【００１１】
ところが、上記沸騰冷却式ＬＥＤ照明装置においては、冷媒が重力を利用して循環するため、その向きによって放熱性能が大きく影響を受け易く、当該沸騰冷却式ＬＥＤ照明装置の設置方向が限定されてしまうという問題があった。
【００１２】
そこで、本出願人は、沸騰冷却器の放熱部を受熱部の受熱面を挟んで光源ユニットとは逆側に配置するとともに、該放熱部の受熱面に対向する対向面を水平面に対して傾斜させた沸騰冷却式ＬＥＤ照明装置を新たに提案した（特願２０１０−０９７５１３において）。
【先行技術文献】
【特許文献】
【００１３】
【特許文献１】特開２００９−１２９６４２号公報
【発明の概要】
【発明が解決しようとする課題】
【００１４】
ところが、本出願人が先に提案した沸騰冷却式ＬＥＤ照明装置においても、これを垂直に対して傾斜させることができる角度は８０°が限界であり、傾斜角度が８０°を超えると沸騰冷却器内部の冷媒が冷却後に受熱部に戻り切ることができないために冷却性能が低下するという問題が発生し、従って、当該沸騰冷却式ＬＥＤ照明装置を鉛直下向きに設置して真下に照明することは不可能であった。
【００１５】
本発明は上記問題に鑑みてなされたもので、その目的とする処は、鉛直下向きに設置して真下に照明することができる沸騰冷却式ＬＥＤ照明装置を提供することにある。
【課題を解決するための手段】
【００１６】
上記目的を達成するため、請求項１記載の発明は、
ＬＥＤを光源とする光源ユニットと、
該光源ユニットから受熱する受熱面を有する受熱部、該受熱部で受熱した熱を外気に放熱する放熱部及び該放熱部と前記受熱部間において冷媒を循環させる循環経路を備えた沸騰冷却器と、
該沸騰冷却器と前記光源ユニットを収容するハウジングと、
を含んで構成される沸騰冷却式ＬＥＤ照明装置において、
前記沸騰冷却器の放熱部を前記受熱部の受熱面を挟んで前記光源ユニットとは逆側に配置するとともに、該放熱部の受熱面に対向して前記循環経路の一部を構成する対向面を水平面に対して傾斜させたことを特徴とする。
【００１７】
請求項２記載の発明は、請求項１記載の発明において、前記沸騰冷却器の循環経路を、前記放熱部の中央と両側にそれぞれ垂直に形成された第１及び第２経路と、前記放熱部の複数の放熱フィンの間に形成されて前記第１経路と前記第２通路とを連通させる第３経路と、前記放熱部の対向面と受熱面との間に形成されて前記第１経路と前記第２経路とを連通させる第４経路とで構成するとともに、前記放熱部の対向面を前記受熱面との距離が前記第２経路から前記第１経路に向かって大きくなるよう傾斜させたことを特徴とする。
【００１８】
請求項３記載の発明は、請求項１記載の発明において、前記沸騰冷却器の循環経路を、前記放熱部の中央と両側にそれぞれ垂直に形成された第１及び第２経路と、前記放熱部の複数の放熱フィンの間に形成されて前記第１経路と前記第２通路とを連通させる第３経路と、前記放熱部の対向面と受熱面との間に形成されて前記第１経路と前記第２経路とを連通させる第４経路とで構成するとともに、前記放熱部の対向面を前記受熱面との距離が前記第１経路から前記第２経路に向かって大きくなるよう傾斜させたことを特徴とする。
【００１９】
請求項４記載の発明は、請求項１記載の発明において、前記沸騰冷却器の循環経路を、前記放熱部の両側にそれぞれ垂直に形成された第１経路と、前記放熱部の複数の放熱フィンの間に形成されて前記第１経路同士を連通させる第２経路と、前記放熱部の対向面と受熱面との間に形成されて前記第１経路同士を連通させる第３経路とで構成するとともに、前記放熱部の対向面を前記受熱面との距離が一方の第１経路から他方の第１経路に向かって大きくなるよう傾斜させたことを特徴とする。
【００２０】
請求項５記載の発明は、請求項１〜４の何れかに記載の発明において、前記ハウジング内にＬＥＤ駆動用回路を前記沸騰冷却器の前記光源ユニットとは逆側に配置したことを特徴とする。
【発明の効果】
【００２１】
本発明によれば、沸騰冷却器の放熱部の受熱面に対向して循環経路の一部を構成する対向面を水平面に対して傾斜させたため、当該沸騰冷却式ＬＥＤ照明装置を鉛直下向きに設置した場合であっても、光源ユニットからの受熱によって気化したガス冷媒は浮力によって放熱部の傾斜した対向面に沿って流れるため、循環経路に冷媒の循環が生じ、放熱部における放熱によって液化した液冷媒は受熱部に戻って光源ユニットの冷却に供される。このようにして冷媒の相変化による光源ユニットの冷却が安定的になされるため、沸騰冷却式ＬＥＤ照明装置を鉛直下向きに設置して真下に向かって照明することが可能となる。
【図面の簡単な説明】
【００２２】
【図１】本発明の実施の形態１に係る沸騰冷却式ＬＥＤ照明装置の斜視図である。
【図２】本発明の実施の形態１に係る沸騰冷却式ＬＥＤ照明装置のアウタレンズを取り外した状態の斜視図である。
【図３】本発明の実施の形態１に係る沸騰冷却式ＬＥＤ照明装置の鉛直下向きに設置した状態の斜視図である。
【図４】本発明の実施の形態１に係る沸騰冷却式ＬＥＤ照明装置の鉛直下向きに設置した状態の断面図である。
【図５】本発明の実施の形態２に係る沸騰冷却式ＬＥＤ照明装置の鉛直下向きに設置した状態の断面図である。
【図６】本発明の実施の形態３に係る沸騰冷却式ＬＥＤ照明装置の鉛直下向きに設置した状態の断面図である。
【図７】本発明の実施の形態４に係る沸騰冷却式ＬＥＤ照明装置の鉛直下向きに設置した状態の断面図である。
【発明を実施するための形態】
【００２３】
以下に本発明の実施の形態を添付図面に基づいて説明する。
【００２４】
＜実施の形態１＞
図１は本発明の実施の形態１に係る沸騰冷却式ＬＥＤ照明装置の斜視図、図２は同沸騰冷却式ＬＥＤ照明装置のアウタレンズを取り外した状態の斜視図、図３は同沸騰冷却式ＬＥＤ照明装置の鉛直下向きに設置した状態の斜視図、図４は同沸騰冷却式ＬＥＤ照明装置の鉛直下向きに設置した状態の断面図である。
【００２５】
本実施の形態に係る沸騰冷却式ＬＥＤ照明装置１は、真下に向かって照明するダウンライトとして使用されるものであって、矩形ボックス状のハウジング２の内部に図４に示す光源ユニット３、沸騰冷却器４及び図３に示す２台の冷却ファン５を組み込んで構成されている。そして、この沸騰冷却式ＬＥＤ照明装置１は、天井等に光照射方向が真下となるよう光源ユニット３が下側となるよう垂直に支持される。尚、図示しないＬＥＤ駆動用回路はハウジング２の外部に別設されている。
【００２６】
上記ハウジング２は、ＰＣ等の樹脂或いはアルミニウム等の金属で構成されており、前記冷却ファン５に対向する側面（図１では上面）にはルーバー状の矩形の排気口６が形成されている。
【００２７】
前記光源ユニット３は、光源である複数の不図示のＬＥＤがマトリックス状に実装された矩形のＬＥＤ基板７（図２参照）と、該ＬＥＤ基板７が固定される金属製（アルミダイカスト製）のベース部材８（図４参照）と、各ＬＥＤの前面側を覆う円形の複数の光学レンズ９（図２参照）及び透明な矩形のアウタレンズ１０（図１及び図４参照）によって構成されており、ハウジング２内の下部に照射方向を下向きにして収容されている。尚、ベース部材８とアウタレンズ１０とはメルト封止又は樹脂製パッキンの挟み込みによって気密にシールされており、図示しないが、ＬＥＤへの給電用の配線は樹脂製のグロメットによって防水されている。
【００２８】
前記沸騰冷却器４は、図４に示すように、ベース部材８の背面（図４の上面）に接する受熱面１１ａを有する受熱部１１と、該受熱部１１の受熱面１１ａを挟んで光源ユニット３とは逆側（図４の上側）に配置された放熱部１２と、該放熱部１２と前記受熱部１１との間で冷媒を循環させる循環経路１３を含んで構成されており、その内部には冷媒が充填されている。尚、互いに接する受熱部１１の受熱面１１ａとベース部材８との間には熱伝導性の高いグリースやシート等が挟み込まれている。又、冷媒としては代替フロンであるフルオロカーボンやフルオロケトン、代替フロン以外の一般的なエチレングリコールやプロピレングリコール等が使用され、沸騰冷却器４の製造時（冷媒の充填時）に内圧を調整することによって該冷媒の沸点がコントロールされる。
【００２９】
ここで、放熱部１２には水平を成す複数の放熱フィン１２ａが上下方向に適当な間隔で形成されており、前記循環経路１３は、放熱部１２の幅方向中央と左右両側にそれぞれ垂直に形成された１つの第１経路１４及び２つの第２経路１５と、複数の放熱フィン１２ａの間に形成されて第１経路１４と第２通路１５とを連通させる複数の第３経路１６と、放熱部１２の対向面１２ｂ（受熱部１１の受熱面１１ａに対向する面）と受熱面１１ａとの間に形成されて第１経路１４と第２経路１５とを連通させる第４経路１７とで構成されている。
【００３０】
而して、本実施の形態では、沸騰冷却器４の放熱部１２の受熱面１１ａに対向する対向面１２ｂを水平面に対して所定角度（本実施の形態では、５°程度）傾斜させている。具体的には、放熱部１２の第１経路１４の左右に形成される対向面１２ｂを受熱面１１ａとの距離が第２経路１５から第１経路１４に向かって大きくなるよう傾斜させている。
【００３１】
以上のように構成されたダウンライトとしての沸騰冷却式ＬＥＤ照明装置１が起動されて光源ユニット３と不図示のＬＥＤ駆動回路及び冷却ファン５に電源がそれぞれ供給されると、光源ユニット３の複数のＬＥＤが発光し、その光は各光学レンズ９及びアウタレンズ１０を透過して真下に向かって照射されるが、光源ユニット３の点灯制御はＬＥＤ駆動回路によってなされ、駆動中において光源ユニット３のＬＥＤが発熱し、そのままでは光源ユニット３とこれを収容するハウジング２内部が過熱されてそれらの温度が上昇する。
【００３２】
然るに、本実施の形態では、沸騰冷却器４によって光源ユニット３が強制冷却されてその温度上昇が抑えられるとともに、冷却ファン５によってハウジング２内に導入される外気によって放熱部１２が強制空冷されてその温度上昇が抑えられる。
【００３３】
即ち、沸騰冷却器４の受熱部１１においては、光源ユニット３と冷媒との温度差による通常の熱伝導に加えて、冷媒が沸騰（蒸発）して気化するときの蒸発潜熱が光源ユニット３から奪われるため、光源ユニット３が効率良く冷却されてその温度上昇が抑えられる。
【００３４】
而して、沸騰冷却器４の受熱部１１において沸騰して気化した冷媒は、図４に矢印にて示すように、第４経路１７において気泡となって上昇して放熱部１２の傾斜した対向面１２ｂに沿って第１経路１４に向かって流れるため、循環経路１３に図４に矢印にて示すような冷媒の２つの循環が発生し、ガス冷媒は第１経路１４を上昇する過程で放熱フィン１２ａの間の第３経路１６を左右の第２経路１５に向かって水平に流れる。そして、第３経路１６を左右の第２経路１５に向かって水平に流れるガス冷媒は放熱によって冷却されて凝縮によって液化し、この液化した液冷媒は第４経路１７へと流れて再び光源ユニット３の冷却に供される。尚、冷却ファン５によって温度の低い外気が放熱部１２を通過するため、冷媒の放熱フィン１２ａからの放熱が促進される。
【００３５】
以後、同様の作用が繰り返され、冷媒は沸騰と凝縮の相変化を繰り返しながら循環経路１３を循環し、受熱部１１での沸騰に伴う蒸発潜熱を光源ユニット３から奪うことによって該光源ユニット３を効率良く冷却する。
【００３６】
以上において、本実施の形態に係る沸騰冷却式ＬＥＤ照明装置１においては、沸騰冷却器４の放熱部１２の受熱面１１ａに対向する対向面１２ｂを水平面に対して受熱面１１ａとの距離が第２経路１５から第１経路１４に向かって大きくなるよう傾斜させたため、当該沸騰冷却式ＬＥＤ照明装置１を本実施の形態のように鉛直下向きに設置した場合であっても、光源ユニット３からの受熱によって気化したガス冷媒は浮力によって放熱部１２の傾斜した対向面１２ｂに沿って流れるため、循環経路１３に冷媒の循環が生じ、放熱部１２における放熱によって液化した液冷媒は受熱部１１に戻って光源ユニット３の冷却に供される。従って、沸騰冷却式ＬＥＤ照明装置１を鉛直下向きに設置しても冷媒の相変化による光源ユニット３の冷却が安定的になされるため、真下に向かって照明することが可能となる。
【００３７】
＜実施の形態２＞
次に、本発明の実施の形態２を図５に基づいて以下に説明する。
【００３８】
図５は本発明の実施の形態２に係る沸騰冷却式ＬＥＤ照明装置の鉛直下向きに設置した状態の断面図であり、本図においては図４に示したものと同一要素には同一符号を付しており、以下、それらについての再度の説明は省略する。
【００３９】
本実施の形態は、沸騰冷却器４の放熱部１２の対向面１２ｂに傾斜方向を実施の形態１のそれとは逆方向としたことを特徴としており、他の構成は実施の形態１のそれと同じである。
【００４０】
即ち、本実施の形態では、放熱部１２の第１経路１４の左右に形成される対向面１２ｂを受熱面１１ａとの距離が第１経路１４から左右の第２経路１５に向かって大きくなるよう所定角度（本実施の形態では、５°程度）だけ傾斜させている。
【００４１】
而して、本実施の形態に係る沸騰冷却式ＬＥＤ照明装置１においても、沸騰冷却器４の受熱部１１において冷媒が沸騰（蒸発）して気化するときの蒸発潜熱が光源ユニット３から奪われるため、光源ユニット３が効率良く冷却されてその温度上昇が抑えられる。
【００４２】
即ち、沸騰冷却器４の受熱部１１において沸騰して気化した冷媒は、図５に矢印にて示すように、第４経路１７において気泡となって上昇して放熱部１２の傾斜した対向面１２ｂに沿って左右の第２経路１５に向かって流れるため、循環経路１３に図５にて矢印にて示すような前記実施の形態１とは逆向きの２つの冷媒の循環が発生し、ガス冷媒は左右の第２経路１５を上昇する過程で放熱フィン１２ａの間の第３経路１６を中央の第１経路１４に向かって水平に流れる。そして、第３経路１６を中央の第１経路１４に向かって水平に流れるガス冷媒は放熱によって冷却されて凝縮によって液化し、この液化した液冷媒は第１経路１４から第４経路１７へと流れて再び光源ユニット３の冷却に供される。
【００４３】
以後、本実施の形態においても同様の作用が繰り返され、冷媒は沸騰と凝縮の相変化を繰り返しながら循環経路１３を循環し、受熱部１１での沸騰に伴う蒸発潜熱を光源ユニット３から奪うことによって該光源ユニット３を効率良く冷却する。
【００４４】
従って、本実施の形態においても、沸騰冷却式ＬＥＤ照明装置１を鉛直下向きに設置した場合であっても、冷媒の相変化による光源ユニット３の冷却が安定的になされるため、真下に向かって照明することが可能となる。
【００４５】
＜実施の形態３＞
次に、本発明の実施の形態３を図６に基づいて以下に説明する。
【００４６】
図６は本発明の実施の形態３に係る沸騰冷却式ＬＥＤ照明装置の鉛直下向きに設置した状態の断面図であり、本図においては図４及び図５に示したものと同一要素には同一符号を付しており、以下、それらについての再度の説明は省略する。
【００４７】
本実施の形態は、沸騰冷却器４の循環経路１３を、放熱部１２の両側にそれぞれ垂直に形成された第１経路１４，１４’と、放熱部１２の複数の放熱フィン１２ａの間に形成されて第１経路１４，１４’同士を連通させる第２経路１５と、放熱部１２の対向面１２ｂと受熱面１１ａとの間に形成されて第１経路１４，１４’同士を連通させる第３経路１６とで構成するとともに、放熱部１２の対向面１２ｂを受熱面１１ａとの距離が一方（図６の左側）の第１経路１４から他方（図６の右側）の第１経路１４’に向かって大きくなるよう所定角度（本実施の形態では、５°程度）傾斜させたことを特徴としている。
【００４８】
而して、本実施の形態に係る沸騰冷却式ＬＥＤ照明装置１においても、沸騰冷却器４の受熱部１１において冷媒が沸騰（蒸発）して気化するときの蒸発潜熱が光源ユニット３から奪われるため、光源ユニット３が効率良く冷却されてその温度上昇が抑えられる。
【００４９】
即ち、沸騰冷却器４の受熱部１１において沸騰して気化した冷媒は、図６に矢印にて示すように、第３経路１６において気泡となって上昇して放熱部１２の傾斜した対向面１２ｂに沿って一方の第１経路１４から他方の第１経路１４’に向かって流れるため、循環経路１３に図６にて矢印にて示すような１つの冷媒の循環が発生し、図６の右側の第１経路１４’を上昇する過程で放熱フィン１２ａの間の第２経路１５を図６の左側の第１経路１４に向かって水平に流れる。そして、第２経路１５を図６の左側に向かって水平に流れるガス冷媒は放熱によって冷却されて凝縮によって液化し、この液化した液冷媒は図６の左側の第１経路１４から第３経路１６へと流れて再び光源ユニット３の冷却に供される。
【００５０】
以後、本実施の形態においても上記と同様の作用が繰り返され、冷媒は沸騰と凝縮の相変化を繰り返しながら循環経路１３を循環し、受熱部１１での沸騰に伴う蒸発潜熱を光源ユニット３から奪うことによって該光源ユニット３を効率良く冷却する。
【００５１】
従って、本実施の形態においても、沸騰冷却式ＬＥＤ照明装置１を鉛直下向きに設置した場合であっても、冷媒の相変化による光源ユニット３の冷却が安定的になされるため、真下に向かって照明することが可能となる。
【００５２】
＜実施の形態４＞
次に、本発明の実施の形態４を図７に基づいて以下に説明する。
【００５３】
図７は本発明の実施の形態４に係る沸騰冷却式ＬＥＤ照明装置の鉛直下向きに設置した状態の断面図であり、本図においては図４に示したものと同一要素には同一符号を付しており、以下、それらについての再度の説明は省略する。
【００５４】
本実施の形態は、ハウジング２内にＬＥＤ駆動用回路１８を沸騰冷却器４の光源ユニット３とは逆側である上側に配置したことを特徴としており、他の構成は前記実施の形態１のそれと同じである。
【００５５】
而して、本実施の形態では、ハウジング２内に配置されたＬＥＤ駆動用回路１８が沸騰冷却器４の冷媒との温度差による熱伝導と冷却ファン５による外気との熱交換によって冷却されるため、該ＬＥＤ駆動用回路１８を構成する各種電子部品の温度上昇が抑えられてこれらの作動安定性が高められる。
【００５６】
又、本実施の形態に係る沸騰冷却式ＬＥＤ照明装置１の基本構成は前記実施の形態１のそれと同じであるため、本実施の形態においても前記実施の形態１と同様の効果が得られる。
【００５７】
尚、以上の実施の形態においては、沸騰冷却式ＬＥＤ照明装置をダウンライトとして使用する場合を例として説明したが、本発明に係る沸騰冷却式ＬＥＤ照明装置はダウンライト以外の用途に供することができることは勿論である。
【符号の説明】
【００５８】
１            沸騰冷却式ＬＥＤ照明装置
２            ハウジング
３            光源ユニット
４            沸騰冷却器
５            冷却ファン
６            ハウジングの排気口
７            ＬＥＤ基板
８            ベース部材
９            光学レンズ
１０          アウタレンズ
１１          受熱部
１１ａ        受熱部の受熱面
１２          放熱部
１２ａ        放熱部の放熱フィン
１２ｂ        放熱部の対向面
１３          循環経路
１４，１４’  循環経路の第１経路
１５          循環経路の第２経路
１６          循環経路の第３経路
１７          循環経路の第４経路
１８          ＬＥＤ駆動用回路
【図１】
2012174379.tif 000003
【図２】
2012174379.tif 000004
【図３】
2012174379.tif 000005
【図４】
2012174379.tif 000006
【図５】
2012174379.tif 000007
【図６】
2012174379.tif 000008
【図７】
2012174379.tif 000009